【手続補正書】
【提出日】平成18年12月20日(2006.12.20)
【手続補正１】
【補正対象書類名】明細書
【補正対象項目名】特許請求の範囲
【補正方法】変更
【補正の内容】
【特許請求の範囲】
【請求項１】  揮発性の駆虫剤、殺虫剤、抗菌剤又はアレルゲン変性組成物を分散する方法であって、前記駆虫剤、殺虫剤、抗菌剤又はアレルゲン変性組成物をエアストリーム中に分散し；かつ、イオンウインドを発生させ、そして、前記駆虫剤、殺虫剤、抗菌剤又はアレルゲン変性組成物の分子を電気的に荷電したものとすることを含む該方法。
【請求項２】  前記駆虫剤が、ユーカリ油、ゼラニウム油、ゲラニオール、パイン油、シトロネラ、ニーム、サイム油、チモール、カンフル、N-N-ジメチル-m-トルアミド、シトロネロール、シトロネラール、リナロール、カレン、ミルセン、テルピネン、リムノレン、サイメン、ギ酸シトロネリル、ギ酸ゲラニル、ローズオキシド、2-アルキル-N-アセチルオキサゾリジン、N-アセチル-2-アルキル-4,4-ジメチルオキサゾリジン、ジプロピルピリジン-2,5-ジカルボキシレート、sec-ブチル-2-(2-ヒドロキシエチル)-1-ピペリジンカルボキシレート又はメチルナフタレンを含む請求項１に記載の方法。
【請求項３】  前記殺虫剤が、ピレスラム又はピレスロイドエステル殺虫剤を含む請求項１に記載の方法。
【請求項４】  前記駆虫剤、殺虫剤、抗菌剤又はアレルゲン変性組成物が遅延放出配合物から分散される請求項１〜３のいずれか１項に記載の方法。
【請求項５】  前記遅延放出配合物が、前記駆虫剤、殺虫剤、抗菌剤又はアレルゲン変性組成物を含有する液体リザーバからの供給がなされたパッド又はウィック、又はゲルを含む請求項４に記載の方法。
【請求項６】  前記遅延放出配合物が前記組成物をエアストリーム中に少なくとも８時間にわたり放出するように適合されている請求項４又は５に記載の方法。
【請求項７】  揮発性フレグランス組成物を分散する方法であって、前記揮発性フレグランス組成物をエアストリーム中に分散し；かつ、イオンウインドを発生させ、そして、前記揮発性フレグランス組成物の分子を電気的に荷電したものとすることを含むことを特徴とする方法。
【請求項８】  前記フレグランス組成物が、ジエチルフタレート、オレンジテルペン（リモネン）、スチラリルアセテートエステル、シクラセット、メチルイオノンケトン、バニリン、リトセアサイベバ、2-フェニルエタン-1-オール及びジプロピレングリコールから選ばれた１又はそれより多くのフレグランス成分を含む請求項７に記載の方法。
【請求項９】  前記揮発性フレグランス組成物が遅延放出配合物から分散される請求項７又は８に記載の方法。
【請求項１０】  前記遅延放出配合物が、前記組成物を含有する液体リザーバからの供給がなされたパッド又はウィック、又はゲルを含む請求項９に記載の方法。
【請求項１１】  揮発性組成物を大気中へ分散するための装置であって、該装置が電気的絶縁材料のハウジングを含み、該材料がハウジングの外側で大気と連絡しており、該ハウジングが（ｉ）揮発性組成物の源及び（ｉｉ）イオンウインドを発生させる手段であって、第１電極及びそれから間隔をおいた第２電極を、その間の領域が、直流電位を第１電極と第２電極にわたってかけたときに電場が該領域に生じるように決定されるように含み、前記イオンウインドが、揮発性組成物の源の大気中への分散を促進しかつ揮発性組成物の分子を荷電したものとする手段、を含む該装置であって、前記揮発性組成物の源は、第１電極及び第２電極のハウジングダウンストリーム中に配置されていることを特徴とする装置。
【請求項１２】  前記第１電極が少なくとも１つのシャープエッジ又はポイントを有する請求項１１に記載の装置。
【請求項１３】  前記第２電極が、リング状電極、チューブ状電極、グリッド状電極、又はその１つ又はそれより多くの組み合せである請求項１１又は１２に記載の装置。
【請求項１４】  前記第２電極がアースされている請求項１１〜１３のいずれか１項に記載の装置。
【請求項１５】  前記揮発性組成物の源が、遅延放出配合物として提供される請求項１１〜１４のいずれか１項に記載の装置。
【請求項１６】  電気主要供給源又は電球ソケットにより作動するように適合された請求項１１〜１５のいずれか１項に記載の装置。
【請求項１７】  バッテリー又は自動車の点灯器ソケットにより作動するように適合された請求項１１〜１５のいずれか１項に記載の装置。
【手続補正２】
【補正対象書類名】明細書
【補正対象項目名】０００６
【補正方法】変更
【補正の内容】
【０００６】
イオンウインドを用い、それにより、揮発性組成物を、より効果的に特定の空間中に分配することが可能な方法及び装置を開発した。
従って、本発明の第１の態様においては、揮発性の駆虫剤、殺虫剤、抗菌剤又はアレルゲン変性組成物を分散する方法であって、上記駆虫剤、殺虫剤、抗菌剤又はアレルゲン変性組成物をエアストリーム中に分散し；かつ、イオンウインドを発生させ、そして、上記駆虫剤、殺虫剤、抗菌剤又はアレルゲン変性組成物の分子を電気的に荷電したものとすることを含む該方法を提供する。
本発明の第２の態様においては、揮発性組成物を大気中へ分散するための装置であって、該装置が電気的絶縁材料のハウジングを含み、該材料がハウジングの外側で大気と連絡(communication)しており、該ハウジングが（ｉ）揮発性組成物の源及び（ｉｉ）イオンウインドを発生させる手段であって、第１電極及びそれから間隔をおいた第２電極を、その間の領域が、直流電位を第１電極と第２電極にわたってかけたときに電場が該領域に生じるように決定されるように含み、前記イオンウインドが、揮発性組成物の源の大気中への分散を促進しかつ揮発性組成物の分子を荷電したものとする手段、を含む該装置であって、前記揮発性組成物の源は、第１電極及び第２電極のハウジングダウンストリーム中に配置されていることを特徴とする装置を提供する。
【手続補正３】
【補正対象書類名】明細書
【補正対象項目名】０００８
【補正方法】変更
【補正の内容】
【０００８】
第２電極は、好ましくは、その中に少なくとも１つの開口を有し、それを介して、ハウジングの内部がハウジングの外側の大気と連絡する。
イオンウインドを発生させるために、第１電極は、少なくとも１つのシャープエッジ又はポイント、例えば、ニードルポイント、ピンポイント又はかみそりの刃を有する。第２電極は、好ましくは、リング状電極、チューブ状電極、グリッド状電極又はその１つ又はそれより多くの組み合せである。一般には、第２電極は、アースされるであろう。
揮発性組成物が駆虫剤又は殺虫剤である場合には、使用される駆虫剤又は殺虫剤源は、ある標的種に対するその駆虫性及び／又は毒性のために選ばれた揮発性駆虫剤及び／又は殺虫剤を含むであろう。例えば、一般に駆虫が望まれる虫としては、蚊、ハエ、ユスリカ(midge)、及びブヨ(gnat)が挙げられ、特には、病気を運ぶことが知られているこれらの虫の種である。
【手続補正４】
【補正対象書類名】明細書
【補正対象項目名】００１１
【補正方法】変更
【補正の内容】
【００１１】
また、空気中又は表面上において活性な揮発性液体を分散させてもよい。揮発性分子は、イオンウインドにより荷電されたものとなるので、それらは、部屋中の表面に引き寄せられ、それらをコートする。揮発性液体が抗菌活性を有する場合、表面上の微生物が相殺(counteract)され得る。揮発性液体がアレルゲン変性特性を有する場合、表面上のアレルゲン粒子が変性され得る。
揮発性液体が抗菌活性を有する場合、荷電揮発性分子と微生物との空中での衝突により、微生物が相殺され得る。
揮発性液体がアレルゲン変性特性を有する場合、荷電揮発性分子とアレルゲン粒子との空気中での衝突により、アレルゲンが中和され得る。
揮発性組成物がフレグランス組成物であるとき、使用されるフレグランス源は、１又はそれより多くのフレグランス成分を含む揮発性組成物を含むであろう。
そのようなフレグランス成分の例は、ジエチルフタレート、オレンジテルペン（リモネン）、スチラリルアセテートエステル、シクラセット(Cyclacet)、メチルイオノンケトン(methyl ionone ketone)、バニリン、リトセアサイベバ(Litsea Cybeba)、2-フェニルエタン-1-オール、ジプロピレングリコール及びメチル-p-3°-ブチルヒドロシンナミルアルデヒドである。
【手続補正５】
【補正対象書類名】明細書
【補正対象項目名】００１４
【補正方法】変更
【補正の内容】
【００１４】
本発明の装置は、電気メインソケットに直接差し込まれるデバイスとして、又は、それを部屋の所望の場所に位置付けること、例えば、ベッドの枕(headrest)上にクリップする又はベッド横のテーブル上に位置付けることを可能にする電気的リード線を有するデバイスとして構築することができる。イオンウインドは運動量を有するので、荷電イオンは、デバイスが電気メインソケットに差し込まれた時に壁に収集される傾向が低い。あるいはまた、デバイスは、電球ソケット、自動車の点灯器ソケットにフィットするように設計することができ、又は、部屋又はテント又は乗り物内の任意の場所に位置付けすることが可能な独立型バッテリー動力デバイスであってもよい。
揮発性組成物の源は、第１及び第２電極のハウジングダウンストリーム内に配置する。
イオンウインド発生デバイスは、駆虫する際にのみいくらか効果的であるが、即ち、荷電空気分子は駆虫する際にいくらか効果的であるが、イオン化エアストリームへの揮発性駆虫剤の添加により、有意に、この駆虫作用が強化される。